(57)【要約】【課題】粉塵捕集装置のメンテナンスを簡単に行えるカバー装置を提供すること。【解決手段】オーバーシートカバー（２０）とアンダーシートカバー（１０）を有する。粉塵捕集装置（１）の作業扉（６）にアクセスできるように開閉部（２４）がオーバーシートカバーに取付けられている。開閉部はスライダ移動式の気密性ファスナーで開閉される。【選択図】図５
2008126093.tif 000002
【特許請求の範囲】
【請求項１】
粉塵捕集装置を使用して空間内の粉塵を捕集する際に捕集装置に粉塵が付着しないように粉塵捕集装置を覆う粉塵捕集装置カバーであって、
粉塵捕集装置の上部分を囲うオーバーシートカバーと、
オーバーシートカバーに結合され粉塵捕集装置の下部分を囲うアンダーシートカバーと、を具備し、
粉塵捕集装置には作業用蓋が設けられており、
該作業用蓋に作業者がアクセスできるようにするための開閉可能な開閉部が、オーバーシートカバー、及び、または、アンダーシートカバーに取付られている、
ことを特徴とする粉塵捕集装置カバー。
【請求項２】
開閉部は、スライダ移動式の気密性ファスナーで開閉される、ことを特徴とする請求項１に記載の粉塵捕集装置カバー。
【請求項３】
オーバーシートカバーは、粉塵捕集装置の上面の上側に、該上面と略等しい面積を有して展開配置される上面部分と、上面部分に連続して下方に垂下する上垂直部分とを含み、
アンダーシートカバーは、粉塵捕集装置の底面の下側に、該底面と略等しい面積を有して展開配置される底面部分と、底面部分に連続して上方に立ち上がる下垂直部分とを含む、ことを特徴とする請求項１に記載の粉塵捕集装置カバー。
【請求項４】
オーバーシートカバーは、粉塵捕集装置の上面の上側に、該上面と略等しい面積を有して展開配置される上面部分と、上面部分の外縁に連続して下方に垂下し床面に達する長さを有する側面垂直部分とを含み、
アンダーシートカバーは、オーバーシートカバーに連続して形成され、粉塵捕集装置の底面の外縁から外側に所定幅を有して配置される底外縁部分とを含み、底外縁部分が、床面に粘着テープにより貼りつけられる、
ことを特徴とする請求項１に記載の粉塵捕集装置カバー。
【発明の詳細な説明】
【技術分野】
【０００１】
本発明は集塵、排気装置の保護カバーに関する。特には、アスベスト解体除去作業時に用いられる集塵、排気装置の保護カバーに関する。
【背景技術】
【０００２】
近年、アスベストによる健康被害が顕在化しアスベストの解体除去が法制化され多くの場所でアスベスト解体除去作業がおこなわれている。そして、アスベスト解体除去作業にはフィルター付きの粉塵捕集装置で粉塵を捕集することが法令で義務付けられている。
この作業において粉塵捕集装置をむき出しのまま使用すると粉塵捕集装置にアスベストが付着してしまう。そこで、市販のシートカバー等で覆って作業が行われている。
【発明の開示】
【発明が解決しようとする課題】
【０００３】
ここで、アスベスト用の粉塵捕集装置はアスベストの飛散防止のため湿潤化して使われることが多い。その結果、フィルターの目詰まりが早く、頻繁にフィルターを交換しなければならない。その際には粉塵捕集装置を覆っているシートカバーを取外すか、あるいは、ドア部分を切り欠いてフィルターの交換作業を行わなければならず、煩雑さとアスベスト粉塵の再飛散という問題点があった。
本発明は上記問題に鑑み、粉塵捕集装置のメンテナンスが容易に行える粉塵捕集装置用のカバー装置を提供することを目的とする。
【課題を解決するための手段】
【０００４】
請求項１の発明によれば、粉塵捕集装置を使用して空間内の粉塵を捕集する際に捕集装置に粉塵が付着しないように粉塵捕集装置を覆う粉塵捕集装置カバーであって、
粉塵捕集装置の上部分を囲うオーバーシートカバーと、
オーバーシートカバーに結合され粉塵捕集装置の下部分を囲うアンダーシートカバーと、を具備し、
粉塵捕集装置には作業用蓋が設けられており、
該作業用蓋に作業者がアクセスできるようにするための開閉可能な開閉部が、オーバーシートカバー、及び、または、アンダーシートカバーに取付られている、
ことを特徴とする粉塵捕集装置カバーが提供される。
請求項２の発明では、開閉部は、スライダ移動式の気密性ファスナーで開閉される。
請求項３の発明では、オーバーシートカバーは、粉塵捕集装置の上面の上側に、該上面と略等しい面積を有して展開配置される上面部分と、上面部分に連続して下方に垂下する上垂直部分とを含み、
アンダーシートカバーは、粉塵捕集装置の底面の下側に、該底面と略等しい面積を有して展開配置される底面部分と、底面部分に連続して上方に立ち上がる下垂直部分とを含む、ようにされる。
請求項４の発明によれば、オーバーシートカバーは、粉塵捕集装置の上面の上側に、該上面と略等しい面積を有して展開配置される上面部分と、上面部分の外縁に連続して下方に垂下し床面に達する長さを有する側面垂直部分とを含み、
アンダーシートカバーは、オーバーシートカバーに連続して形成され、粉塵捕集装置の底面の外縁から外側に所定幅を有して配置される底外縁部分とを含み、底外縁部分が、床面に粘着テープにより貼りつけられる。
【発明の効果】
【０００５】
本発明のようにすれば、アンダーシートカバーとオーバーシートカバーにより下側と上側で粉塵捕集装置が覆われアスベストの付着が防止され、作業用の開閉部を有するのでフィルター交換やメンテナンスも容易に行える。特に、開閉部をスライダ移動式の気密性ファスナーで開閉するようにすれば開閉作業が非常に簡単になり粉塵の飛散が防止される。
【発明を実施するための最良の形態】
【０００６】
以下、図面にもとづいて本発明を詳細に説明する。
図１は本発明によるカバーが適用される粉塵捕集装置１の全体を示す斜視図である。粉塵捕集装置１の本体２は直方体を成し、上面２ａ、下面２ｂ、上流面２ｃ、下流面２ｄ、一対の側面２ｅを有する。上面２ａには吊り上げ用のフック８が４個取り付けられ、下面２ｂにはキャスタ９が取り付けられている。
【０００７】
粉塵を含んだ空気の流入ロ３と粉塵が捕集された後の空気を排出せしめる流出口４を有する。流入口３と流出口４の間には、上流から下流へ順に直列に配置された１次フィルタ５ａ、２次フィルタ５ｂ、３次フィルタ５ｃが設けられている。１次フィルタ５ａ、２次フィルタ５ｂ、３次フィルタ５ｃの順で目が細かくなり、３次フィルタ５ｃはＨＥＰＡ及びＵＬＰＡフィルターとされている。３次フィルタ５ｃの下流には図示しない吸い込みファンが設けられている。
【０００８】
フィルタの交換のための作業用蓋６がボルトにより本体２の両方の側面に取り付けられている。流入口３と流出口４の外側にはそれぞれ適当な長さの入口ダクト３ａと出口ダクト４ａが接続される。また、配線類出口７が流入口３の下方に設けられている。また、一方の側面には制御パネル８が取り付けられている。
【０００９】
図２は第１の実施形態のアンダーシートカバー１０を開いた状態であり、この上に粉塵捕集装置１が配置される。なお、このアンダーシートカバー１０は透明な樹脂フィルムで形成されている。
この第１の実施形態のアンダーシートカバー１０は粉塵捕集装置１の本体２の底面に等しい主部１１（ハッチング部分）と上流垂直部１２、下流垂直部１３、一対の側方垂直部１４を含む。上流垂直部１２には配線類出口９に対応する孔１２’が形成されている。側方垂直部１４には開閉蓋６に対応する切り欠き１４’が形成されている。
【００１０】
図３は上記のアンダーシートカバー１０の各垂直部を本体２に沿って立ち上げて立体化した様子を示している。そのために、”×”マークを付されているところを粘着テープによって結合している。しかし、例えば、気密性のジッパーを予め設けておいて、それにより、結合することも可能である。その場合には、ジッパー部の位置をコーナー部の稜線を外したところとした方が開閉が容易となる。
【００１１】
図４は第１の実施形態のオーバーシートカバー２０を斜視図で示している。
なお、このオーバーシートカバー２０もアンダーシートカバー１０と同様に透明な樹脂フィルムで形成されている。
この第１の実施形態のオーバーシートカバー２０は立体的に形成されていて、粉塵捕集装置１の本体２の上面に等しい主部２１と上流垂直部２２、下流垂直部２３、一対の側方垂直部２４を含む。上流垂直部２２には流入口３に対応する穴２２’、及び、配線類出口９に対応する孔２２”が、下流垂直部２３には流出口４に対応する穴２３’形成されている。側方垂直部２４には開閉蓋８に対応して開閉部２４’が形成されている。
【００１２】
開閉部２４’は波線部に垂直な切れ目を入れ、そこに気密性のファスナーを取り付けて形成されている。機密性のファスナーとしては、線状に伸びる凹断面の溝に、線状に伸びる凸断面の部材をスライダを使用して係合離脱させる、例えば、食材保存用の袋等に使用されるファスナーが好ましい。
そして、必要に応じて図示されるように上方に巻き上げ可能である。
【００１３】
図５は、図３にしめした立体化されたアンダーシートカバー１０と図４に示したオーバーシートカバー２０を組み合わせた状態を示す図である。アンダーシートカバー１０の上端位置はオーバーシートカバー２０の下端位置よりも高く、オーバーシートカバー２０が外側にあるようにオーバーラップしている。そしてオーバーシートカバー２０の下端部のところで粘着テープにより密封される。
このようにされるので、粉塵捕集装置１にアスベストが付着することが防止される。
【００１４】
次に、第２の実施形態について説明する。
図６が第２の実施形態を説明する図であるが、この第２の実施形態のオーバーシートカバー３０は、第１の実施形態のオーバーシートカバー２０と同様に、粉塵捕集装置１の本体２の上面に等しい主部３１と上流垂直部３２、下流垂直部３３、一対の側方垂直部３４を含む。上流垂直部３２には流入口３に対応する穴３２’、及び、配線類出口９に対応する孔３２”が、下流垂直部３３には流出口４に対応する穴３３’形成されている。側方垂直部３４には開閉蓋８に対応して開閉部３４’が形成されている。
しかし、上流垂直部３２、下流垂直部３３、一対の側方垂直部３４の下端は床面に達している。
【００１５】
そして、アンダーシートカバー４０の上流水平部４２、下流水平部４３、一対の側方垂直部４４が、それぞれ、オーバーシートカバー３０の上流垂直部３２、下流垂直部３３、一対の側方垂直部３４の下端から連続して外側に延伸している。
そして、上流水平部４２、下流水平部４３、一対の側方垂直部４４の各外縁の”×”マーク部が粘着テープにより床面に密着される。
第２の実施形態はこのように構成されるので、アスベストが付着しない。
【００１６】
図７はキャスター９にアスベストが付着しないように対策する一例であって、キャスター取り付け台座９’に逆テーパを付けてビニールの袋５０にゴムバンド５１を付け、逆テーパ部に引っかけるようにしたものである。これによって、キャスター９の軸受部にアスベストの微粉塵が侵入付着し、微粉塵の再飛散の原因になると共にキャスター回転不良を予防できる。
これを、第１の実施形態、第２の実施形態と組み合わせると好ましい。
【産業上の利用可能性】
【００１７】
本発明は、特にはアスベスト解体除去作業時に用いられる粉塵捕集装置に適用することを目的として開発されたものではあるが、勿論、その他の類似の捕集装置に適用することも可能である。
【図面の簡単な説明】
【００１８】
【図１】粉塵捕集装置を概略的に示した斜視図である。
【図２】第１の実施形態のアンダーシートカバーを水平に広げた状態を示す斜視図。
【図３】図２のアンダーシートカバーを立体化した状態を示す斜視図。
【図４】第１の実施形態のオーバーシートカバーを示す斜視図。
【図５】図３と図４を組み合わせて粉塵捕集装置を覆った状態を示す斜視図。
【図６】第２の実施形態のオーバーシートカバーを示す斜視図。
【図７】キャスター部の対策を示す図。
【符号の説明】
【００１９】
１    粉塵捕集装置
２    本体
３    流入口
４    流出口
５ａ，５ｂ，５ｃ    １次、２次、３次フィルター
６    開閉蓋
７    配線取付部
９    キャスター
１０    アンダーシートカバー
２０    オーバーシートカバー
３０    オーバーシートカバー
４０    アンダーシートカバー
５０    袋
【図１】
2008126093.tif 000003
【図２】
2008126093.tif 000004
【図３】
2008126093.tif 000005
【図４】
2008126093.tif 000006
【図５】
2008126093.tif 000007
【図６】
2008126093.tif 000008
【図７】
2008126093.tif 000009